(57)【要約】      （修正有）【課題】載置台を傾斜させると共に、傾斜した載置台を２本の接続部材で安定して支持することができる傾斜載置台を提供する。【解決手段】傾斜載置台１は、ベース１０に対して傾斜自在に軸支されると共に、物品２が載置される載置台１１と、ベース１０に回転自在に取り付けられた雄ネジ部材１４と、回転により接近し、離間する第１の雌ネジ部材１５、第２の雌ネジ部材１６と、一端に第１のボール受部を、他端に第１’のボール受部を、それぞれ有して、第１の部材１２と第１’の部材１７を接続する第１の接続部材１８と、一端に第２のボール受部を、他端に第２’のボール受部２０ａを、それぞれ有して、第２の部材１３と第２’の部材１９を接続する第２の接続部材２０とを備えている。【選択図】図２
0003128777.tif 000002
【実用新案登録請求の範囲】
【請求項１】
ベースと、
このベースに対して傾斜自在に軸支されると共に、物品が載置される載置台と、
この載置台の裏面にアングル材を介して取り付けられると共に、離間して設けられた第１の部材及び第２の部材と、
前記第１の部材の端部に設けられた第１のボール部と、
前記第２の部材の端部に設けられた第２のボール部と、
前記ベースに回転自在に取り付けられた雄ネジ部材と、
この雄ネジ部材を一方向又は他方向に回転する回転手段と、
前記雄ネジ部材に螺合し、前記雄ネジ部材の一方向への回転により接近し、前記雄ネジ部材の他方向への回転により離間する一対の雌ネジ部材と、
この一対の雌ネジ部材は、第１の雌ネジ部材と第２の雌ネジ部材であり、
前記第１の雌ネジ部材に取り付けられた第１’の部材と、
この第１’の部材の端部に設けられた第１’のボール部と、
一端に前記第１のボール部を摺動自在に嵌合保持する第１のボール受部を、他端に前記第１’のボール部を摺動自在に嵌合保持する第１’のボール受部を、それぞれ有して、前記第１の部材と前記第１’の部材を接続する第１の接続部材と、
前記第２の雌ネジ部材に取り付けられた第２’の部材と、
前記第２’の部材の端部に設けられた第２’のボール部と、
一端に前記第２のボール部を摺動自在に嵌合保持する第２のボール受部を、他端に前記第２’のボール部を摺動自在に嵌合保持する第２’のボール受部を、それぞれ有して、前記第２の部材と前記第２’の部材を接続する第２の接続部材と、
を備えていることを特徴とする傾斜載置台。
【請求項２】
回転手段は、雄ネジ部材を一方向又は他方向に回転するハンドルであることを特徴とする請求項１記載の傾斜載置台。
【請求項３】
物品の下端を支持する支持部材を載置台の表側に設けていることを特徴とする請求項１又は請求項２記載の傾斜載置台。
【考案の詳細な説明】
【技術分野】
【０００１】
本考案は、傾斜載置台に係り、特に、載置台を傾斜させると共に、傾斜した載置台を２本の接続部材で安定して支持することができる傾斜載置台に関する。  
【背景技術】
【０００２】
水平な作業板の上に治具を固定して作業を容易にした作業台車がある（例えば、特許文献１参照）。
この作業台車にあっては、水平な状態で作業する場合、支障を生じない。
しかしながら、作業によっては、作業板の上に治具を傾斜させて作業した方が良い場合がある。
かかる場合、上述の作業台車においては、対応できないという問題点があった。
【特許文献１】実用新案登録第２５６４９２６号公報（図６参照）
【考案の開示】
【考案が解決しようとする課題】
【０００３】
本考案は、前記した問題点を除去するようにした傾斜載置台を提供することを目的としている。
【課題を解決するための手段】
【０００４】
前記した目的を達成するための請求項１記載の傾斜載置台は、ベースと、このベースに対して傾斜自在に軸支されると共に、物品が載置される載置台と、この載置台の裏面にアングル材を介して取り付けられると共に、離間して設けられた第１の部材及び第２の部材と、前記第１の部材の端部に設けられた第１のボール部と、前記第２の部材の端部に設けられた第２のボール部と、前記ベースに回転自在に取り付けられた雄ネジ部材と、この雄ネジ部材を一方向又は他方向に回転する回転手段と、前記雄ネジ部材に螺合し、前記雄ネジ部材の一方向への回転により接近し、前記雄ネジ部材の他方向への回転により離間する一対の雌ネジ部材と、この一対の雌ネジ部材は、第１の雌ネジ部材と第２の雌ネジ部材であり、前記第１の雌ネジ部材に取り付けられた第１’の部材と、この第１’の部材の端部に設けられた第１’のボール部と、一端に前記第１のボール部を摺動自在に嵌合保持する第１のボール受部を、他端に前記第１’のボール部を摺動自在に嵌合保持する第１’のボール受部を、それぞれ有して、前記第１の部材と前記第１’の部材を接続する第１の接続部材と、前記第２の雌ネジ部材に取り付けられた第２’の部材と、前記第２’の部材の端部に設けられた第２’のボール部と、一端に前記第２のボール部を摺動自在に嵌合保持する第２のボール受部を、他端に前記第２’のボール部を摺動自在に嵌合保持する第２’のボール受部を、それぞれ有して、前記第２の部材と前記第２’の部材を接続する第２の接続部材とを備えているものである。  
【０００５】
また、請求項２記載の傾斜載置台は、請求項１記載の傾斜載置台において、回転手段は、雄ネジ部材を一方向又は他方向に回転するハンドルである。
【０００６】
また、請求項３記載の傾斜載置台は、請求項１又は請求項２記載の傾斜載置台において、物品の下端を支持する支持部材を載置台の表側に設けているものである。
【考案の効果】
【０００７】
請求項１記載の傾斜載置台によれば、回転手段により雄ネジ部材を一方向又は他方向に回転すると、一対の雌ネジ部材が接近又は離間し、それに伴い、第１の接続部材と第２の接続部材が追随して載置台を所定の角度に保つことができ、しかも、載置台を第１の接続部材と第２の接続部材で支持して、載置台上の物品が重くても、荷重の分散を図ってバランス良く安定的に支えることができ、更に、第１の接続部材の両端は、第１のボール部を摺動自在に嵌合保持する第１のボール受部と第１’のボール部を摺動自在に嵌合保持する第１’のボール受部で、第２の接続部材の両端は、第２のボール部を摺動自在に嵌合保持する第２のボール受部と第２’のボール部を摺動自在に嵌合保持する第２’のボール受部であるため、動きがスムーズで載置台を傾斜させることができる。
【０００８】
また、請求項２記載の傾斜載置台によれば、前述した請求項１記載の考案の効果に加え、回転手段は、雄ネジ部材を一方向又は他方向に回転するハンドルであるため、ハンドルを介して雄ネジ部材を一方向又は他方向に任意に回転させることができ、微調整が容易で操作性が良く、しかも、ハンドルの停止状態は、雄ネジ部材に螺合する一対の雌ネジ部材を介在するため、保持され、傾斜した載置台が不用意に回動せず、安全性をも図ることができる。
【考案を実施するための最良の形態】
【０００９】
本考案の一実施例の傾斜載置台を図面を参照して説明する。
図１〜図１１において、１は傾斜載置台で、傾斜載置台１は、ベース１０に対して傾斜自在に軸支される載置台１１を有している。傾斜載置台１は、物品（例えば、金型）２を傾斜載置台１１に載置し（図６及び図７参照）、角度を付けて、金型２の手直し作業を容易にするものである。また、載置台１１には、物品２の下端を支持する支持部材３及び図示しないクランプ部材を用いて確実に固定できる穴Ｈが載置台１１の表側に設けられている（図１参照）。
なお、載置台１１には、図示しない磁石を埋め込み、物品２が、例えば、金型であれば、物品２の固定が容易となるようにしても良い。
また、前記軸支は、例えば、図２に記載されているように、軸４を軸支持部材５、５により回動自在に支持することである。
【００１０】
また、図３及び図１１に示す１２は第１の部材、１３は第２の部材で、第１の部材１２及び第２の部材１３は、載置台１１の裏面にアングル材３０（断面がＬ字形になった鋼材）を介して取り付けられると共に、離間して設けられている  。
図１１に示す１２ａは、第１の部材１２の端部に設けられた第１のボール部で、１３ａは、第２の部材１３の端部に設けられた第２のボール部で、Ｋは、防塵カバーで、第１の部材１２及び第２の部材１３の外側には２個のナットがそれぞれ位置し、第１の部材１２及び第２の部材１３の取付ネジの緩みを防ぐようになっている。
【００１１】
図２に示す１４は、ベース１０に回転自在に取り付けられた雄ネジ部材で、雄ネジ部材１４は、雄ネジ支持部材６、６により回転自在に支持されている。７は、回転手段で、回転手段７は、例えば、雄ネジ部材１４を一方向又は他方向に正逆に回転するハンドルである。回転手段７は、図示しないモーターでも良いが  、ハンドルが最適である。ハンドルは、簡易で、しかも、微調整が容易である  。
即ち、ハンドル７を介して雄ネジ部材１４を一方向又は他方向に任意に回転させることができ、微調整が容易で操作性が良く、しかも、ハンドル７の停止状態は、雄ネジ部材１４に螺合する後述する一対の雌ネジ部材１５、１６を介在するため、保持され、傾斜した載置台１１が不用意に回動せず、安全性をも図ることができる。  
【００１２】
一対の雌ネジ部材１５、１６は、雄ネジ部材１４に螺合し、雄ネジ部材１４の一方向への回転により接近（図５参照）し、雄ネジ部材１４の他方向への回転により離間（図６参照）するようになっている。
なお、上述した雄ネジ部材１４は、具体的には、中央より一方側に雄ネジ部１４ａ、中央より他方側に雄ネジ部１４ｂが位置し、雄ネジ部１４ａと雄ネジ部１４ｂとは、スクリュー溝の方向が逆になるように設けられている。
また、一対の雌ネジ部材１５、１６は、第１の雌ネジ部材１５と第２の雌ネジ部材１６である。
図３及び図１０に示す１７は、第１の雌ネジ部材１５に取り付けられた第１’の部材で、１７ａは第１’の部材１７の端部に設けられた第１’のボール部である。図１０に示すＫは、上述と同様、防塵カバーで、第１’の部材１７の外側には２個のナットが位置し、第１’の部材１７の取付ネジの緩みを防ぐようになっている。
１８は、第１の部材１２と第１’の部材１７を接続する第１の接続部材（アーム）で、第１の接続部材１８は、一端に第１のボール部１２ａを摺動自在に嵌合保持する第１のボール受部１８ａ（図１１参照）を、他端に第１’のボール部１７ａを摺動自在に嵌合保持する第１’のボール受部１８ａ’（図１０参照）を  、それぞれ有して、関節の動きができるようになっている。
【００１３】
図３、図８及び図９に示す１９は、第２の雌ネジ部材１６に取り付けられた第２’の部材で、１９ａは、第２’の部材１６の端部に設けられた第２’のボール部である。
２０は、第２の部材１３と第２’の部材１９を接続する第２の接続部材（アーム）で、第２の接続部材２０は、一端に第２のボール部１３ａを摺動自在に嵌合保持する第２のボール受部２０ａ（図１１参照）を、他端に第２’のボール部１９ａを摺動自在に嵌合保持する第２’のボール受部２０ａ’（図９参照）を、それぞれ有して、関節の動きができるようになっている。なお、図９に示すＫは  、上述と同様、防塵カバーで、第２’の部材１９の外側には２個のナットが位置し、第２’の部材１９の取付ネジの緩みを防ぐようになっている。
【００１４】
従って、この実施例の傾斜載置台１によれば、回転手段７により雄ネジ部材１４を一方向又は他方向に回転すると、一対の雌ネジ部材１５、１６が図５に示すように接近又は図４に示すように離間し、それに伴い、第１の接続部材１８と第２の接続部材２０が追随して載置台１１を所定の角度に保つことができ、しかも、載置台１１を第１の接続部材１８と第２の接続部材２０で支持して、載置台１１上の物品２が重くても、荷重の分散を図ってバランス良く安定的に支えることができ、更に、第１の接続部材１８の両端は、第１のボール部１２ａを摺動自在に嵌合保持する第１のボール受部１８ａと第１’のボール部１７ａを摺動自在に嵌合保持する第１’のボール受部１８ａ’で、第２の接続部材２０の両端は、第２のボール部１３ａを摺動自在に嵌合保持する第２のボール受部２０ａと第２’のボール部１３ａを摺動自在に嵌合保持する第２’のボール受部２０ａ’であるため、動きがスムーズで載置台１１を傾斜させることができる。
【００１５】
なお、図２に示すＳは、第１の接続部材１８及び第２の接続部材２０が脱落等により外れた場合にあっても、載置台１１が一対の雌ネジ部材１５、１６に衝突して、雄ネジ部材１４を損傷しないようにしたストッパーで、ストッパーＳの先端は、一対の雌ネジ部材１５、１６より上方に位置している。
また、Ｒは、開閉部材２１を開閉するロックレバーで、ロックレバーＲの回動により、開閉部材２１を閉じることによりハンドル７が回転しないようにすると共に、前記回動と逆方向にロックレバーＲを回動して、開閉部材２１を開いてハンドル７が回転するようにしている。
また、上述した傾斜載置台１にあっては、ベース１０に図示しない回転手段を付加して、傾斜に加え回転をも加味するようにしても良い。
【図面の簡単な説明】
【００１６】
【図１】図１は、本考案の一実施例の傾斜載置台の概略的平面図である。
【図２】図２は、図１の傾斜載置台を載置台の裏面側から見た概略的斜視図である。
【図３】図３は、図１の傾斜載置台から載置台を取り除いて見た概略的平面図である  。
【図４】図４は、図３の４−４線による概略的断面図である。
【図５】図５は、図３の水平状態の載置台を傾斜させた状態の概略的断面図である。
【図６】図６は、図４の概略的側面図である。
【図７】図７は、図５の概略的側面図である。
【図８】図８は、図３の一部を拡大して示す概略的一部拡大平面図である。
【図９】図９は、図８の一部の概略的断面図である。
【図１０】図１０は、第１’の部材と第１の接続部材との連結状態の概略的断面図である。
【図１１】図１１は、第１の部材（第２の部材）と第１の接続部材（第２の接続部材）との連結状態の概略的断面図である。
【符号の説明】
【００１７】
１      …………傾斜載置台
２      …………物品
１０    …………ベース
１１    …………載置台
１２    …………第１の部材
１２ａ  …………第１のボール部
１３    …………第２の部材
１３ａ  …………第２のボール部
１４    …………雄ネジ部材
１５    …………第１の雌ネジ部材
１６    …………第２の雌ネジ部材
１７    …………第１’の部材
１８    …………第２の雌ネジ部材
１９    …………第２’の部材
１９ａ  …………第２’のボール部
２０    …………第２の接続部材
２０ａ  …………第２’のボール受部
【図１】
0003128777.tif 000003
【図２】
0003128777.tif 000004
【図３】
0003128777.tif 000005
【図４】
0003128777.tif 000006
【図５】
0003128777.tif 000007
【図６】
0003128777.tif 000008
【図７】
0003128777.tif 000009
【図８】
0003128777.tif 000010
【図９】
0003128777.tif 000011
【図１０】
0003128777.tif 000012
【図１１】
0003128777.tif 000013